(57)【要約】  本発明に係る、転動体のための少なくともＵ字形に画成される複数のポケットを備える転がり軸受ケージは、前記ポケットの１つのＵ字形の画成が、２つのウェブエレメント（５４）を１つの環状の周方向エレメント（５１）に素材結合することによって形成されており、該周方向エレメント（５１）が、前記ウェブエレメント（５４）の区分の全周を包囲する結合のための中空部及び貫通部を有しておらず、素材結合のために前記エレメント（５１，５４）を互いに所定の位置に位置決めするために、前記エレメント（５１，５４）が、周方向エレメントにおけるウェブエレメントの位置が周方向エレメントの周方向及び／又は軸方向で予め規定されているように、互いに調整された形態（５２）を備えて形成されていることを特徴とする。
2010525272.tif 000002
【特許請求の範囲】
【請求項１】
転動体のための少なくともＵ字形に画成される複数のポケットを備える転がり軸受ケージにおいて、
前記ポケットの１つのＵ字形の画成が、２つのウェブエレメントを１つの環状の周方向エレメントに素材結合することによって形成されており、
該周方向エレメントが、前記ウェブエレメントの区分の全周を包囲する結合のための中空部及び貫通部を有しておらず、
素材結合のために前記エレメントを互いに所定の位置に位置決めするために、前記エレメントが、周方向エレメントにおけるウェブエレメントの位置が周方向エレメントの周方向及び／又は軸方向で予め規定されているように、互いに調整された形態を備えて形成されている
ことを特徴とする、転がり軸受ケージ。
【請求項２】
前記周方向エレメントが周方向で、半径方向で形成された湾曲部を備えて構成されている、請求項１記載の転がり軸受ケージ。
【請求項３】
前記周方向エレメントが周方向で、該周方向エレメントの一方の端面に、軸方向で延在する切欠きを備えて形成されている、請求項１又は２記載の転がり軸受ケージ。
【請求項４】
前記湾曲部又は前記切欠きが、周方向で見て長方形又は台形に形成されている、請求項２又は３記載の転がり軸受ケージ。
【請求項５】
前記ウェブエレメントが、前記湾曲部又は前記切欠きに対応する軸方向の端部領域を備えて形成されている、請求項２から４までのいずれか１項記載の転がり軸受ケージ。
【請求項６】
位置決めのために、前記ウェブエレメントが軸方向の少なくとも一方の端部に、軸方向で、前記周方向エレメントの縁領域に当接させるために設けられている段部を備えて構成されている、請求項１から５までのいずれか１項記載の転がり軸受ケージ。
【請求項７】
前記エレメントが鉄材料を有し、素材結合が溶接を含む、請求項１から６までのいずれか１項記載の転がり軸受ケージ。
【請求項８】
素材結合がろう接又は接着を含む、請求項１から７までのいずれか１項記載の転がり軸受ケージ。
【請求項９】
前記周方向エレメント及び前記ウェブエレメントが、それぞれ異なる特性を備えて形成されている、請求項１から８までのいずれか１項記載の転がり軸受ケージ。
【請求項１０】
前記エレメントの少なくとも一方が、少なくとも部分領域でコーティングされて形成されている、請求項１から９までのいずれか１項記載の転がり軸受ケージ。
【請求項１１】
前記ウェブエレメントの少なくとも１つが、転動体と接触することが予定される面に、潤滑ポケットを備えて形成されている、請求項１から９までのいずれか１項記載の転がり軸受ケージ。
【請求項１２】
前記ウェブエレメントの１つの少なくとも一区分の横断面が台形状である、請求項１から１１までのいずれか１項記載の転がり軸受ケージ。
【請求項１３】
前記周方向エレメントが閉鎖されて又は開放されて形成されている、請求項１から１２までのいずれか１項記載の転がり軸受ケージ。
【請求項１４】
前記ウェブエレメントの両軸方向の端部にそれぞれ１つの環状の周方向エレメントが配置されている、請求項１から１３までのいずれか１項記載の転がり軸受ケージ。
【請求項１５】
軸方向で前記周方向エレメントの両端面に、前記ウェブエレメントにより形成される少なくともＵ字形に画成されるポケットが接続する、請求項１から１４までのいずれか１項記載の転がり軸受ケージ。
【請求項１６】
当該転がり軸受ケージがころ軸受ケージとして形成されている、請求項１から１５までのいずれか１項記載の転がり軸受ケージ。
【発明の詳細な説明】
【技術分野】
【０００１】
本発明は、転動体のための少なくともＵ字形に画成される複数のポケットを備える転がり軸受ケージに関する。
【０００２】
例えばＤＥ７９３５９８２Ｕ１から公知の転がり軸受ケージは、２つの側方部材と、別個に製造され、溶接等により側方部材に結合される多数のウェブ部材とからなる。ウェブ部材はその間に、転動体を収容するためのポケットを形成する。側方部材及びウェブ部材は、フラットにあるいは異形断面を備えて圧延された線材から製造され、ウェブ部材は、転動体のための転動面を形成するためにコイニングされている。
【０００３】
本発明の課題は、特に精緻に、しかし簡単に、ひいては安価に製造可能な、転動体のための少なくともＵ字形に画成されるポケットを備える、改良された転がり軸受ケージを提供することである。
【０００４】
上記課題は、請求項１の構成、すなわち、前記ポケットの１つのＵ字形の画成が、２つのウェブエレメントを１つの環状の周方向エレメントに素材結合することによって形成されており、該周方向エレメントが、前記ウェブエレメントの区分の全周を包囲する結合のための中空部及び貫通部を有しておらず、素材結合のために前記エレメントを互いに所定の位置に位置決めするために、前記エレメントが、周方向エレメントにおけるウェブエレメントの位置が周方向エレメントの周方向及び／又は軸方向で予め規定されているように、互いに調整された形態を備えて形成されていることにより解決される。有利な構成は、従属請求項に係る発明である。好ましくは、前記周方向エレメントが周方向で、半径方向で形成された湾曲部を備えて構成されている。好ましくは、前記周方向エレメントが周方向で、該周方向エレメントの一方の端面に、軸方向で延在する切欠きを備えて形成されている。好ましくは、前記湾曲部又は前記切欠きが、周方向で見て長方形又は台形に形成されている。好ましくは、前記ウェブエレメントが、前記湾曲部又は前記切欠きに対応する軸方向の端部領域を備えて形成されている。好ましくは、位置決めのために、前記ウェブエレメントが軸方向の少なくとも一方の端部に、軸方向で、前記周方向エレメントの縁領域に当接させるために設けられている段部を備えて構成されている。好ましくは、前記エレメントが鉄材料を有し、素材結合が溶接を含む。好ましくは、素材結合がろう接又は接着を含む。好ましくは、前記周方向エレメント及び前記ウェブエレメントが、それぞれ異なる特性を備えて形成されている。好ましくは、前記エレメントの少なくとも一方が、少なくとも部分領域でコーティングされて形成されている。好ましくは、前記ウェブエレメントの少なくとも１つが、転動体と接触することが予定されている面に、潤滑ポケットを備えて形成されている。好ましくは、前記ウェブエレメントの１つの少なくとも一区分の横断面が台形状である。好ましくは、前記周方向エレメントが閉鎖されて又は開放されて形成されている。好ましくは、前記ウェブエレメントの両軸方向の端部にそれぞれ１つの環状の周方向エレメントが配置されている。好ましくは、軸方向で前記周方向エレメントの両端面に、前記ウェブエレメントにより形成される少なくともＵ字形に画成されるポケットが接続する。好ましくは、当該転がり軸受ケージがころ軸受ケージとして形成されている。
【０００５】
請求項１に係る、転動体のための少なくともＵ字形に画成される複数のポケットを備える転がり軸受ケージは、
‐前記ポケットの１つのＵ字形の画成が、２つのウェブエレメントを１つの環状の周方向エレメントに素材結合（ｓｔｏｆｆｓｃｈｌｕｅｓｓｉｇｅ  Ｖｅｒｂｉｎｄｕｎｇ）することによって形成されており、
‐前記周方向エレメントが、ウェブエレメントの区分の全周を包囲する結合のための中空部及び貫通部を有しておらず、
‐素材結合のために前記エレメントを互いに所定の位置に位置決めするために、前記エレメントが、周方向エレメントにおけるウェブエレメントの位置が周方向エレメントの周方向及び／又は軸方向で予め規定されているように、互いに調整された形態を備えて形成されている
ことを特徴とする。
【０００６】
本発明の対象は、ＤＥ７９３５９８２Ｕ１のような冒頭で述べた転がり軸受ケージに対して、エレメントが上記のように互いに調整された形状が付与されていることにより、エレメントの素材結合のためにエレメントを相応に組み合わせたとき、周方向エレメントの周方向及び／又は軸方向での、周方向エレメントにおけるウェブエレメントの位置決めが予め決められているので、上記形状付与の固有の結果として、ケージの所定の幾何学形状が正確かつ簡単に遵守されるという思想に基づく。これに対して、ＤＥ７９３５９８２Ｕ１に記載の転がり軸受ケージの場合、互いに結合すべき部品の位置決めは、部品の形状付与によって助成されないので、位置決めが部品の溶接工程の枠内で保証されなければならない。これに対して、本発明では、エレメントを互いに結合する上記工程は、少なくとも部分的に負担軽減されているので、ＤＥ７９３５９８２Ｕ１に対して、ケージはより簡単に、より高速に、ひいてはより安価に製造可能である。さらに本発明は、エレメント相互の位置決めのために、背景技術から公知であるように、周方向ウェブに、ウェブエレメントの対応して形成される軸方向の端部を挿入するための中空部又は貫通部を備えて形成することが不要であるという思想に基づく。周方向エレメントが本発明ではウェブエレメントの区分の全周を包囲した結合のための中空部又は貫通部を有しないことにより、周方向エレメントはやはり比較的簡単に、高速に、ひいては安価に製造可能である。周方向エレメントに設けられる、例えば半径方向で延在する湾曲部あるいは膨らみ又は軸方向で延在する切欠きは、有利にはエレメント間の上記位置決め及び十分に堅固な結合を保証するに十分である。もちろん、本発明に係る転がり軸受ケージは、中空円筒状のブランクから加工される転がり軸受ケージに対して、特にケージポケットの加工による材料廃棄が発生せず、これにより有利にはこの種の方法に対する材料削減が生じるという利点を提供する。
【０００７】
有利な形態では、周方向エレメント及びウェブエレメントが、それぞれ異なる特性を備えて形成されている。これにより、有利には、それぞれ異なる材料を組み合わせて、例えば使用事例に応じて負荷の少ないエレメントを安価な材料から製造することが可能である。さらに、一方のエレメントを高い耐磨耗性のために熱処理された鋼から形成し、他方のエレメントを例えば高い脆性のために未処理のままとすることも可能である。
【０００８】
別の有利な形態では、エレメントの少なくとも一方をコーティングして形成することが可能である。周方向エレメント及びウェブエレメントからなる転がり軸受ケージの組み合わせに基づいて、著しく簡単に、ひいては安価に、個々のエレメント、例えばウェブエレメントのコーティングのみを行うことができる。同じことは、ウェブエレメントの、転動体に面した面に、例えば潤滑ポケットとしての機能を有する滴状に加工された凹部が設けられている別の有利な構成にも当てはまる。潤滑ポケットは、一形態では、ウェブエレメントの軸方向の左半部で斜めに、右側の転がり軸受ケージ領域から斜めに転がり軸受中心点に向かって延びる線にしたがって配置されており、左半部で相応に鏡面対称に形成されていることができる。
【０００９】
本発明の別の利点、特徴及び詳細は、図面を参照しながら以下に説明する実施の形態から看取される。
【図面の簡単な説明】
【００１０】
【図１】均一な台形の横断面を有するウェブエレメントのための湾入部を有する２つの周方向エレメントを有する円筒ころ軸受ケージを、エレメントが結合されていない状態で示す斜視図である。
【図２】均一な台形の横断面を有するウェブエレメントのための湾入部を有する２つの周方向エレメントを有する円筒ころ軸受ケージを、エレメントが結合された状態で示す斜視図である。
【図３】均一な台形の横断面を有するウェブエレメントのための湾出部を有する２つの周方向エレメントを有する円筒ころ軸受ケージを、エレメントが結合されていない状態で示す斜視図である。
【図４】均一な台形の横断面を有するウェブエレメントのための湾出部を有する２つの周方向エレメントを有する円筒ころ軸受ケージを、エレメントが結合された状態で示す斜視図である。
【図５】ハンマーヘッド状に肉厚化された軸方向の端部を有するウェブエレメントのための湾入部を有する２つの周方向エレメントを有する円筒ころ軸受ケージを、エレメントが結合されていない状態で示す斜視図である。
【図６】ハンマーヘッド状に肉厚化された軸方向の端部を有するウェブエレメントのための湾入部を有する２つの周方向エレメントを有する円筒ころ軸受ケージを、エレメントが結合された状態で示す斜視図である。
【図７】均一な台形の横断面を有するウェブエレメントのための端面側の長方形の切欠きを有する２つの環状の周方向エレメントを有する円筒ころ軸受ケージを、エレメントが結合されていない状態で示す斜視図である。
【図８】均一な台形の横断面を有するウェブエレメントのための端面側の長方形の切欠きを有する２つの環状の周方向エレメントを有する円筒ころ軸受ケージを、エレメントが結合された状態で示す斜視図である。
【図９】ハンマーヘッド状に強化された軸方向の端部を有するウェブエレメントのための端面側の長方形の切欠きを有する２つの環状の周方向エレメントを有する円筒ころ軸受ケージを、エレメントが結合されていない状態で示す斜視図である。
【図１０】ハンマーヘッド状に強化された軸方向の端部を有するウェブエレメントのための端面側の長方形の切欠きを有する２つの環状の周方向エレメントを有する円筒ころ軸受ケージを、エレメントが結合された状態で示す斜視図である。
【図１１】台形に肉厚化された軸方向の端部を有するウェブエレメントのための、端面側の、軸方向内方にテーパする台形の切欠きを有する２つの環状の周方向エレメントを有する円筒ころ軸受ケージを、エレメントが結合されていない状態で示す斜視図である。
【図１２】台形に肉厚化された軸方向の端部を有するウェブエレメントのための、端面側の、軸方向内方にテーパする台形の切欠きを有する２つの環状の周方向エレメントを有する円筒ころ軸受ケージを、エレメントが結合された状態で示す斜視図である。
【図１３】２つの環状の周方向エレメントと、軸方向の端部の内面がそれぞれ周方向エレメントの外縁に当接させるための段部を備えて形成されているウェブエレメントとを有する円筒ころ軸受ケージを、エレメントが結合されていない状態で示す斜視図である。
【図１４】２つの環状の周方向エレメントと、軸方向の端部の内面がそれぞれ周方向エレメントの外縁に当接させるための段部を備えて形成されているウェブエレメントとを有する円筒ころ軸受ケージを、エレメントが結合された状態で示す斜視図である。
【図１５】２つの環状の周方向エレメントと、軸方向の端部の外面がそれぞれ周方向エレメントの内縁に当接させるための段部を備えて形成されているウェブエレメントとを有する円筒ころ軸受ケージを、エレメントが結合されていない状態で示す斜視図である。
【図１６】２つの環状の周方向エレメントと、軸方向の端部の外面がそれぞれ周方向エレメントの内縁に当接させるための段部を備えて形成されているウェブエレメントとを有する円筒ころ軸受ケージを、エレメントが結合された状態で示す斜視図である。
【図１７】図２に示した円筒ころ軸受ケージに相応の、付加的にウェブエレメントに潤滑ポケットを備える円筒ころ軸受ケージの斜視図である。
【図１８】図１７に示したウェブエレメントの１つの斜視図である。
【図１９】均一な台形の横断面を有するウェブエレメントのための湾入部を有する２つの周方向エレメントを有する円すいころ軸受ケージを、エレメントが結合されていない状態で示す斜視図である。
【図２０】均一な台形の横断面を有するウェブエレメントのための湾入部を有する２つの周方向エレメントを有する円すいころ軸受ケージを、エレメントが結合された状態で示す斜視図である。
【００１１】
図１及び図２は、本発明の一実施の形態として、斜視図で、均一な台形の横断面を有するウェブエレメント１４のための湾入部１２あるいは内方への膨らみを有する２つの周方向エレメント１１を有する円筒ころ軸受ケージを示す。図１は、エレメント１１，１４が未結合の状態にあるケージを示し、図２は、エレメント１１，１４が結合された後のケージを示す。周方向エレメント１１に設けられた湾入部１２は、湾入部１２に対応して成形されたウェブエレメント１４との関連で、ウェブエレメント１４を周方向エレメント１１に溶接するためにエレメント１１，１４を組み立てる際に、周方向エレメント１１の周方向でウェブエレメント１４を前位置決めするために役立つ。
【００１２】
エレメント１１，１４は、鉄材料、特に鋼線から製造されている。しかし、別の実施の形態では、別の材料が使用されてもよく、溶接の代わりにろう接又は接着が行われてもよい。さらに、特にウェブエレメント１４は、特別な滑り特性、特に転動体との接触面の領域における特別な滑り特性を達成するために、コーティングを備えて形成されていてもよい。
【００１３】
図３及び図４は、本発明の別の実施の形態として、斜視図で、均一な台形の横断面を有するウェブエレメント２４のための湾出部２２あるいは外方への膨らみを有する２つの周方向エレメント２１を有する円筒ころ軸受ケージを示す。図３は、エレメント２１，２４が未結合の状態にあるケージを示し、図４は、エレメント２１，２４が結合された後のケージを示す。その他の点では、図１及び図２に対して加えた前述のケージの説明は、図３及び図４においても相応に当てはまる。
【００１４】
図５及び図６は、本発明の別の実施の形態として、斜視図で、ハンマーヘッド状に肉厚化された軸方向の端部を有するウェブエレメント３４のための湾入部３２を有する２つの周方向エレメント３１を有する円筒ころ軸受ケージを示す。図５は、エレメント３１，３４が未結合の状態にあるケージを示し、図６は、エレメント３１，３４が結合された後のケージを示す。図５及び図６のケージは、図１及び図２のケージとは、実質的に、ウェブエレメント３４がその軸方向の端部でハンマーヘッド状に肉厚化されており、湾入部３２もウェブエレメント３４に対応して相応に幅広に形成されている点で相違する。これにより、ウェブエレメント３４と周方向エレメント３１との間の特に大きな結合面、ひいては特に堅固な結合、及びケージ全体の特に剛性的な構成が達成可能である。その他の点では、図１〜図４に対して加えた前述の説明が相応に当てはまる。
【００１５】
図７及び図８は、本発明の別の実施の形態として、斜視図で、均一な台形の横断面を有するウェブエレメント４４のための、端面に設けられた長方形の切欠き４２を有する２つの環状の周方向エレメント４１を有する円筒ころ軸受ケージを示す。図７は、エレメント４１，４４が未結合の状態にあるケージを示し、図８は、エレメント４１，４４が結合された後のケージを示す。周方向エレメント４１に設けられた切欠き４２は、エレメント４１，４４を互いに溶接するために周方向エレメント４１にウェブエレメント４４を挿嵌したとき、周方向エレメント４１の周方向だけでなく、軸方向でも、ウェブエレメント４４を前位置決めするために役立つ。これにより、図１〜図６に示したケージの場合とは異なり、図７及び図８に示したケージの場合、ウェブエレメント４４がいわば周方向エレメント４１の間に挿入されているので、両周方向エレメント４１間の間隔も確定されている。その他の点では、図１〜図６に対して加えた前述の説明が相応に当てはまる。
【００１６】
図９及び図１０は、本発明の別の実施の形態として、斜視図で、ハンマーヘッド状に肉厚化された軸方向の端部を有するウェブエレメント５４のための、端面に設けられた長方形の切欠き５２を有する２つの環状の周方向エレメント５１を有する円筒ころ軸受ケージを示す。図９は、エレメント５１，５４が未結合の状態にあるケージを示し、図１０は、エレメント５１，５４が結合された後のケージを示す。図７及び図８のケージに対して、図９及び図１０に示したケージは、実質的に、ウェブエレメント５４の軸方向の端部に設けられたハンマーヘッド状の肉厚化部の点で相違する。その他の点では、図７及び図８に対して加えた前述の説明が相応に当てはまる。
【００１７】
図１１及び図１２は、本発明の別の実施の形態として、斜視図で、台形に肉厚化された軸方向の端部を有するウェブエレメント６４のための、端面に設けられ軸方向内方にテーパをなした台形の切欠き６２を有する２つの環状の周方向エレメント６１を有する円筒ころ軸受ケージを示す。図１１は、エレメント６１，６４が未結合の状態にあるケージを示し、図１２は、エレメント６１，６４が結合された後のケージを示す。図９及び図１０のケージに対して、図１１及び図１２のケージは、実質的に、切欠き６２が、ウェブエレメント６４の、ハンマーヘッド状に肉厚化された端部とともに、付加的に、周方向で見て台形に形成されている点で相違する。これにより、特に有利には、エレメント６１，６４が組み立てられた後、エレメント６１，６４が軸方向でウェブエレメント６４の軸方向の端部と周方向エレメント６１との間の形状結合（Ｆｏｒｍｓｃｈｌｕｓｓ：形状による束縛）に基づいて強固に保持される。エレメント６１，６４を互いに溶接した後には、有利には特に堅固に接合された円筒ころ軸受ケージが得られる。
【００１８】
図１３及び図１４は、本発明の別の実施の形態として、斜視図で、２つの環状の周方向エレメント７１と、軸方向の端部の内面にそれぞれ、周方向エレメント７１の外縁に当接させる段部７５が形成されているウェブエレメント７４とを備える円筒ころ軸受ケージを示す。図１３は、エレメント７１，７４が未結合の状態にあるケージを示し、図１４は、エレメント７１，７４が結合された後のケージを示す。図１３及び図１４に示したケージの場合、エレメント７１，７４は、周方向エレメント７１の軸方向でのウェブエレメント７４の位置が予め規定されており、これにより両周方向エレメント７１相互の間隔だけが確定されているように成形されているにすぎない。これに対して、周方向でのウェブエレメント７４の正確な配分は、外的な手段により、例えばエレメント７１，７４の結合時に保証されなければならない。
【００１９】
図１５及び図１６は、本発明の別の実施の形態として、２つの環状の周方向エレメント８１と、この実施の形態では軸方向の端部の外面にそれぞれ、周方向エレメント８１の内縁に当接させる段部８５が形成されているウェブエレメント８４とを備える円筒ころ軸受ケージを示す。図１５は、エレメント８１，８４が未結合の状態にあるケージを示し、図１６は、エレメント８１，８４が結合された後のケージを示す。その他の点では、図１３及び図１４に対して加えた前述の説明が相応に当てはまる。
【００２０】
図１７は、本発明の別の実施の形態として、斜視図で、潤滑ポケット９６を有するウェブエレメント９４のための湾入部を有する２つの周方向エレメント９１を有する円筒ころ軸受ケージを示す。潤滑ポケット９６を除いて、図１７のケージは、図２のケージに相当する。図１８は、潤滑ポケット９６を有するウェブエレメント９４の１つを拡大した斜視図である。潤滑ポケット９６は、ウェブエレメント９４の軸方向左半分において斜めに、右側のケージ領域から斜めにケージ中心点に向かって延びる線に対して平行に配置されており、右半分において相応に鏡面対称に形成されており、かつ中央部において半径方向で方向付けられている。潤滑ポケット９６は、滴状に形成されている。
【００２１】
図１９及び図２０は、本発明の一実施の形態として、斜視図で、均一な台形の横断面を有するウェブエレメント１０４のための湾入部を有する２つの周方向エレメント１０１，１０２を有する円すいころ軸受ケージを示す。図１９は、エレメント１０１，１０２，１０４が未結合の状態にあるケージを示し、図２０は、エレメント１０１，１０２，１０４が結合された後のケージを示す。図１９及び図２０のケージの場合、両周方向エレメント１０１，１０２がそれぞれ異なる直径を備えて形成されており、ウェブエレメント１０４が軸方向の端部から中央領域に向かう移行部において屈曲して形成されている点を除けば、図１９及び図２０のケージは、図１及び図２のケージに相当する。図１及び図２に対して加えたケージのその他の説明は、図１９及び図２０においても相応に当てはまる。もちろん、図３〜図１８に対して加えたその他の説明も、相応に形成された円すいころ軸受に転用可能である。
【００２２】
最後に、前述の、単列の円筒ころラジアル軸受あるいは円すいころラジアル軸受のための窓付きケージを例にとって図１〜図２０に対して加えた説明は、別のころ軸受、例えば球面軸受（ｓｐｈａｅｒｉｓｃｈｅ  Ｌａｇｅｒ）、ＣＡＲＢ軸受（ＣＡＲＢ−Ｌａｇｅｒ）、球面ころ軸受（Ｔｏｎｎｅｎｌａｇｅｒ）、櫛状のケージを備える軸受、複数のころ列を備えるころ軸受及びスラスト軸受にも転用可能である。
【図１】
2010525272.tif 000003
【図２】
2010525272.tif 000004
【図３】
2010525272.tif 000005
【図４】
2010525272.tif 000006
【図５】
2010525272.tif 000007
【図６】
2010525272.tif 000008
【図７】
2010525272.tif 000009
【図８】
2010525272.tif 000010
【図９】
2010525272.tif 000011
【図１０】
2010525272.tif 000012
【図１１】
2010525272.tif 000013
【図１２】
2010525272.tif 000014
【図１３】
2010525272.tif 000015
【図１４】
2010525272.tif 000016
【図１５】
2010525272.tif 000017
【図１６】
2010525272.tif 000018
【図１７】
2010525272.tif 000019
【図１８】
2010525272.tif 000020
【図１９】
2010525272.tif 000021
【図２０】
2010525272.tif 000022
【国際調査報告】
2010525272.tif 000023
2010525272.tif 000024
2010525272.tif 000025
2010525272.tif 000026
2010525272.tif 000027
2010525272.tif 000028